(57)【要約】【課題】空調機器２０の作動状態を表示する表示領域と空調機器２０を操作する操作領域とを重ね合わせる事で、車両用空調表示装置をコンパクトにする。【解決手段】空調機器２０の各作動モードに対応した操作画像を表示する表示部１２と、表示制御部１１と、タッチパネルセンサ部１３とを備えた車両用空調表示装置１０であって、表示制御部１１は、タッチパネルセンサ部１３による操作画像の選択情報に基づいて操作画像の表示を変化させると共に、その操作画像に該当する作動モードの作動を操作画像の表示の変化に沿った変化するよう制御するので、空調機器２０の作動モードを操作出来るとともに、操作画像そのものが作動状態を表すので、空調機器２０の作動モードの作動状態を表す表示領域と、各作動モードを操作する操作領域とが重ね合わされる事になり、車両用空調表示装置１０をコンパクトに形成する事が出来る。【選択図】図４
2004291883.tif 000002
【特許請求の範囲】
【請求項１】
表示手段と、
車両に搭載された空調機器の個々の作動モードに対応し、前記作動モードの作動状態を表示するとともに、前記作動状態を変更指示する為の複数の操作画像を、前記表示手段に表示させる表示制御手段と、
前記複数の操作画像のうち、特定の操作画像をタッチ操作すると、当該操作画像が選択された事を前記表示制御手段に伝達するタッチパネルセンサ手段とを備えた車両用空調表示装置であって、
前記表示制御手段は、前記タッチパネルセンサ手段による前記特定の操作画像の選択情報に基づいて、選択された事が伝達された当該操作画像の表示を変化させると共に、当該操作画像に対応する前記空調装置の該当作動モードの作動状態を変化させるよう、前記空調機器に伝達する事を特徴とする車両用空調表示装置。
【請求項２】
前記表示制御手段は、前記タッチパネルセンサ手段から前記特定の操作画像が選択された事が伝達されると、選択された事が伝達された当該操作画像の表示形状の大きさを変化させると共に、当該操作画像に対応する前記空調機器の該当作動モードから吹き出す空調風の風量を変化させるよう、前記空調機器に伝達する事を特徴とする請求項１に記載の車両用空調表示装置。
【請求項３】
前記表示制御手段は、前記タッチパネルセンサ手段から前記特定の操作画像が選択された事が伝達されると、選択された事が伝達された当該操作画像の表示色を変化させると共に、当該操作画像に対応する前記空調機器の該当作動モードにて吹き出す空調風の温度を変化させるよう、前記空調機器に伝達する事を特徴とする請求項１または２に記載の車両用空調表示装置。
【請求項４】
前記表示制御手段は、前記タッチパネルセンサ手段から、伝達された前記操作画像に対してなされたタッチ操作のタッチ回数またはタッチ時間に応じて、当該操作画像の表示形状または表示色を変化させるとともに、当該操作画像に対応する前記空調機器が該当作動モードで吹き出す空調風の風量または温度を変化させるよう、前記空調機器に伝達する事を特徴とする請求項１乃至３のいずれかに記載の車両用空調表示装置。
【請求項５】
前記表示制御手段は、前記タッチパネルセンサ手段から前記操作画像の一方の端部がタッチ操作された事を伝達されたならば、当該操作画像の表示形状または表示色と一方向に変化させるとともに、当該操作画像に対応する前記空調機器が該当作動モードにて吹き出す空調風の風量と温度とを増大または上昇するよう前記空調機器に伝達し、
前記タッチパネルセンサ手段から前記操作画像の一方の端部の反対側の端部がタッチ操作された事を伝達されたならば、前記操作画像の表示形状または表示色と、当該操作画像に対応する前記空調機器が該当作動モードに吹き出す空調風の空調風と温度とを、減少または下降するように、前記空調機器に伝達する事を特徴とする請求項１乃至４のいずれかに記載の車両用空調装置。
【発明の詳細な説明】
【０００１】
【発明の属する技術分野】
本発明は、車両用空調装置の作動状態を表示する表示装置に関する。
【０００２】
【従来の技術】
従来から、車両に搭載される空調装置の作動状態を表示するとともに、空調装置を操作する為の空調表示装置（空調パネル）に関しては、例えば図１に示すように作動状態を示す表示領域Ａと、空調装置の操作を行う操作領域Ｂとが別々に分かれて配置されていた。
【０００３】
【発明が解決しようとする課題】
この為、空調装置の作動状態を示す表示領域Ａと、空調装置の操作を行う操作領域Ｂとは分離して面積を確保せねばならず、２つの領域を合わせた面積は空調表示装置（空調パネル）の全面積のうち大きな割合を占めていた。
【０００４】
本発明は、上記の点を鑑みてなされたものである。すなわち表示領域Ａと操作領域Ｂとを重ね合わせ、空調表示装置（空調パネル）をコンパクトにした車両用空調表示装置を提供する事を特徴とする。
【０００５】
【課題を解決するための手段】
請求項１に記載の車両用空調表示装置は、表示手段と、車両に搭載された空調機器の個々の作動モードに対応し、前記作動モードの作動状態を表示するとともに、前記作動状態を変更指示する為の複数の操作画像を、前記表示手段に表示させる表示制御手段と、前記複数の操作画像のうち、特定の操作画像をタッチ操作すると、当該操作画像が選択された事を前記表示制御手段に伝達するタッチパネルセンサ手段とを備えた車両用空調表示装置であって、前記表示制御手段は、前記タッチパネルセンサ手段による前記特定の操作画像の選択情報に基づいて、選択された事が伝達された当該操作画像の表示を変化させると共に、当該操作画像に対応する前記空調装置の該当作動モードの作動状態を変化させるよう、前記空調機器に伝達する事を特徴とする。
【０００６】
この発明により、空調機器の作動モード、例えばＦＡＣＥモードの吹き出し状態を表した操作画像をタッチ操作する事によって、その操作画像に対応する空調機器の作動モードの作動状態（この場合だとＦＡＣＥモードの吹き出し状態）を任意に変化させる事が出来るとともに、操作画像そのものが作動状態の変化を表すように変化した表示がなされるので、空調機器の作動モードの作動状態を表す表示領域と、空調機器の各種の作動モードを操作する操作領域とが重ね合わせて構成されるので、両領域を分離して構成する必要がなくなり、空調表示装置（空調パネル）をコンパクトに形成する事が出来る。
【０００７】
請求項２に記載の車両用空調表示装置は、前記表示制御手段は、前記タッチパネルセンサ手段から前記特定の操作画像が選択された事が伝達されると、選択された事が伝達された当該操作画像の表示形状の大きさを変化させると共に、当該操作画像に対応する前記空調機器の該当作動モードから吹き出す空調風の風量を変化させるよう、前記空調機器に伝達する事を特徴とする。
【０００８】
この発明により、例えば表示制御手段が変化させた（すなわち、タッチパネルセンサ手段が選択された）操作画像の大きさが、ＦＡＣＥモードの空調風の吹き出し量に対応していた場合、表示制御手段が操作画像の表示形状の大きさを現状より大きい操作画像に変化させると、それとともにＦＡＣＥ空調風の吹き出し量も現状より多い空調風が吹き出されるので、吹き出される風量と、表示される操作画像の大きさが対応しており、空調風の風量の操作において、視覚的に分かりやすい操作性を提供する事が出来る。
【０００９】
請求項３に記載の車両用空調表示装置は、前記表示制御手段は、前記タッチパネルセンサ手段から前記特定の操作画像が選択された事が伝達されると、選択された事が伝達された当該操作画像の表示色を変化させると共に、当該操作画像に対応する前記空調機器の該当作動モードにて吹き出す空調風の温度を変化させるよう、前記空調機器に伝達する事を特徴とする。
【００１０】
この発明により、例えば表示制御手段が変化させた（すなわち、タッチパネルセンサ手段が選択された）操作画像の大きさが、ＦＡＣＥモードの空調風の吹き出し温度に対応していた場合、表示制御手段が操作画像の表示色を現状よりも、例えば暖色系の操作画像に変化させると、それとともにＦＡＣＥ空調風の吹き出し温度も現状より高い温度で吹き出されるので、吹き出される温度と、表示される操作画像の表示色が対応しており、空調風の温度の操作において、視覚的に分かりやすい操作性を提供する事が出来る。
【００１１】
請求項４に記載の車両用空調表示装置は、前記表示制御手段は、前記タッチパネルセンサ手段から伝達された前記操作画像に対してなされたタッチ操作のタッチ回数またはタッチ時間に応じて、当該操作画像の表示形状または表示色を変化させるとともに、当該操作画像に対応する前記空調機器が該当作動モードで吹き出す空調風の風量または温度を変化させるよう、前記空調機器に伝達する事を特徴とする。
【００１２】
この発明により、１つの操作画像に対して、回数を分けてタッチする、またはタッチしている時間の長短を調整すると言う操作を行う事で、当該操作画像に対応する空調機器が該当作動モードで吹き出す空調風の風量と温度とを操作する事が出来るので、風量と温度とに対応した２つの操作画像を表示する必要がなくなり、空調パネル内の表示をシンプルにする事が出来るとともに、空調パネルをコンパクトに構成する事が出来る。
【００１３】
請求項５に記載の車両用空調表示装置は、前記表示制御手段は、前記タッチパネルセンサ手段から前記操作画像の一方の端部がタッチ操作された事を伝達されたならば、当該操作画像の表示形状または表示色と一方向に変化させるとともに、当該操作画像に対応する前記空調機器が該当作動モードにて吹き出す空調風の風量と温度とを増大または上昇するよう前記空調機器に伝達し、前記タッチパネルセンサ手段から前記操作画像の一方の端部の反対側の端部がタッチ操作された事を伝達されたならば、前記操作画像の表示形状または表示色と、当該操作画像に対応する前記空調機器が該当作動モードに吹き出す空調風の空調風と温度とを、減少または下降するように、前記空調機器に伝達する事を特徴とする。
【００１４】
この発明により、１つの操作画像の例えば上端部を所定の回数、タッチ操作すると、タッチ操作された操作画像が現状の大きさの操作画像より大きい操作画像が表示されるとともに、タッチ操作された操作画像に対応する空調機器の各該当作動モードの作動状態、例えばＦＡＣＥ空調風の吹き出し量が現状の吹き出し量より多く吹き出され、逆に操作画像の下端部を所定の回数、タッチ操作すると、タッチ操作された操作画像が現状の大きさの操作画像より小さい操作画像が表示されるとともに、ＦＡＣＥ空調風の吹き出し量が現状の吹き出し量よりも少なく吹き出されたり、または停止したりするので、空調装置の各モードの作動を増大または減少させる為の操作画像を２種類表示する必要がなくなり、空調パネル内の表示をシンプルにする事が出来るとともに、空調パネルをコンパクトに構成する事が出来る。
【００１５】
【発明の実施の形態】
以下に本発明の実施の形態を図を用いて説明する。図２は、本実施形態に係る空調表示装置１０の構成の概略を示す構成図である。
【００１６】
図２において、空調装置１００は、空調表示装置１０と、空調機器２０とから構成されている。
【００１７】
空調表示装置１０は、表示制御部１１と表示部１２とタッチパネルセンサ部１３とタッチ音出力部１４とから構成されている。空調表示装置１０は請求項で示す車両用空調表示装置に相当する。
【００１８】
表示制御部１１は、ＣＰＵ、ＲＡＭ、ＲＯＭなどから構成されるマイコンであり、マイコンを構成する図示しないＲＯＭには各空調モードを示す複数のアイコン画像が格納されている。（図４の３０〜３３参照）請求項で示す複数の操作画像は、この複数のアイコン画像に相当する。
【００１９】
後述するタッチパネルセンサ部１３からタッチ信号を受信し、このタッチ信号に含まれるアイコン画像がタッチされたタッチ位置情報、タッチ回数情報、タッチ時間情報などを解析し、どのアイコン画像がタッチされ、タッチされたアイコン画像は、アイコン画像のどの画像領域がタッチされ、タッチされた画像領域は何回タッチされ、または何秒間タッチされたのか演算し、タッチされたアイコン画像に対応する空調モードは、どの空調モードなのか選択し、選択した空調モードの作動をタッチされた画像領域、タッチされた回数、タッチされた時間などから、何をどれくらい変化させるのかを演算し、その演算結果を前述の制御情報として空調機器２０に伝達している。
【００２０】
表示部１２は、図示しないブラウン管装置または液晶表示装置からなる表示手段である。ここで表示部１２は請求項で示す表示手段に相当する。
【００２１】
タッチパネルセンサ部１３は、上述した表示部１２の管面または表示領域に貼付した図示しないタッチスクリーンと、タッチスクリーンから伝達されるタッチ情報を、上述した表示制御部１１に伝達出来るタッチ信号に変換する図示しない変換部とからなる。
【００２２】
タッチスクリーンが変換部に伝達するタッチ情報とは、タッチスクリーンが備える直交した無数の走査線のうち、タッチ圧を検知した位置のＸ−Ｙ座標情報の事であり、変換部は、タッチスクリーンから伝達されるＸ−Ｙ座標情報を単位時間ごとに表示制御部１１に伝達している。
【００２３】
タッチ音出力部１４は、図示しないスピーカとアンプなどからなる音声出力装置である。タッチパネルセンサ部１３にてタッチスクリーンがタッチされると、そのタイミングに対応してタッチ音を出力している。
【００２４】
空調機器２０は、空調制御部２１と、空調部２２とからなる。空調機器２０は請求項で示す空調機器に相当する。
【００２５】
空調制御部２１は、表示制御部１１と同じくマイコンで構成されており、表示制御部１１から伝達される制御信号に基づいて、後述する空調部２２を制御する。
【００２６】
空調部２２は、図示しないコンプレッサ、コンデンサ、エバポレータ、そしてヒータコアなどで周知の冷凍サイクルを構成し、ブロワファンで車室内に空調風を吹き出す空調風吹き出し手段である。
【００２７】
次に上述した構成の空調表示装置１０を構成する表示制御部１１の表示制御に関するフローを示した図３のフローチャートを用いて説明する。
【００２８】
図３のステップＳ１で、タッチパネルセンサ部１３から表示制御部１１にタッチ信号が伝達されたか否かを判定する。伝達されたならばステップＳ２に進む。
【００２９】
ステップＳ２で、タッチパネルセンサ部１３から伝達されたタッチ信号から、どのアイコン画像がタッチされたのかをタッチ信号を構成するＸ−Ｙ座標情報から判定し、ステップＳ３で、タッチされたのは、ステップＳ２で判定したアイコン画像のどの領域、すなわち上端部領域か下端部領域かなどをＸ−Ｙ座標情報から判定する。
【００３０】
上端部領域か下端部領域かは図３に示すように、例えば表示部３に表示されている４つのアイコン画像３０〜３３のうち、ＦＡＣＥモードに該当するアイコン画像３０の上端部領域３０ａがタッチされた場合は、表示制御部１１は、ＦＡＣＥモードの空調風の風量を所定の段階、増大させるように空調制御部２１に伝達する。
【００３１】
この処理は他のアイコン画像でも同様である。本実施形態では、アイコン画像の上端部領域、下端部領域しか例示しないが、左端部領域や右端部領域が有効なアイコン画像でも良い。
【００３２】
ステップＳ４にて、ステップＳ３で例えば上端部領域が所定の回数、タッチされたと判定された場合は、該当するアイコン画像と同じ種類で、かつ、タッチされた所定の回数に相当する大きさのアイコン画像を表示制御部１１に実装される図示しないＲＯＭから読み出す。
【００３３】
本フローでは説明を簡易にする為に、アイコン画像の大きさと、空調風の風量との関係のみを図３のフローチャートにて例示するが、アイコン画像がタッチされている時間に応じて、そのアイコン画像に対応する空調風の温度が上昇または下降しても良いし、図４の４０に示すような風量と温度との切り替えアイコン画像をタッチする事で、３０〜３３に示す各アイコン画像をタッチすると、風量が増減するのか、温度が上下するかを切り替えて操作しても良い。
【００３４】
ステップＳ５で、読み出したアイコン画像の種類を記憶する。これは次回またタッチ信号が伝達された際、現在のアイコン画像の種類から、次に表示するアイコン画像を前述の図示しないＲＯＭから読み出すからである。
【００３５】
ステップＳ６で読み出したアイコン画像を表示部１２で表示する。表示される画像はタッチされる前のアイコン画像より、タッチされた回数に相当するだけの大きさのアイコン画像である。
【００３６】
このステップＳ６の処理を図５を用いて詳説する。例えば図５に示すように、今まででＦＡＣＥモードの空調風量が「弱」だった状態で、ＦＡＣＥモードのアイコン画像の上端部領域３０ａを一回タッチすると、ＦＡＣＥモードの空調風量が「中」になり、アイコン画像も、空調風量が「弱」だった時のアイコン画像より一回り大きいアイコン画像に変更される。「中」から「強」への場合も同様である。
【００３７】
次にステップＳ７で読み出したアイコン画像の種類から、これに対応する所定の空調モードの制御情報を演算する。具体的には、所定の大きさのアイコン画像を読み出した場合は、その読み出した大きさから空調制御部２１に伝達する風量に関する制御情報を演算する。
【００３８】
そしてステップＳ７で演算した所定の空調風の風量に関する制御情報を空調制御部２１に伝達する。
【００３９】
上述した構成と作動とにより、空調機器２０の作動の状態を表示する表示領域と空調機器２０を操作する操作領域とを重ね合わせる事で、空調パネルをコンパクトにする事が出来る。
【図面の簡単な説明】
【図１】従来の代表的な空調表示装置の概略を示す説明図である。
【図２】本発明の一実施形態の空調表示装置１０を備える空調装置１００の構成の概略を示す構成図である。
【図３】表示制御部１１の表示制御に関するフローチャートである。
【図４】本発明の一実施形態の表示部１２に表示される各空調モードに対応したアイコン画像３０〜３３を示した空調パネルの説明図である。
【図５】ＦＡＣＥモードの空調風量を制御するアイコン画像３０の大きさが切り替わっていく状態を示した説明図である。
【符号の説明】
１０  空調表示装置
１１  表示制御部（表示制御手段）
１２  表示部（表示手段）
１３  タッチパネルセンサ部（タッチパネル手段）
１４  タッチ音出力部
２０  空調機器
２１  空調制御部
２２  空調部
１００  空調装置
【図１】
2004291883.tif 000003
【図２】
2004291883.tif 000004
【図３】
2004291883.tif 000005
【図４】
2004291883.tif 000006
【図５】
2004291883.tif 000007